【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
搬送されてきたシートを排出する排出部材と、前記排出部材によって排出されたシートを積載する積載部材と、前記積載部材に積載されたシートの上面を押さえるシート押さえ手段とを備えたシート処理装置において、
前記シート押さえ手段は、
前記積載部材上のシートの上面を押さえる回動自在な第１のシート押さえ部材と、
前記第１のシート押さえ部材よりも回動半径が小さく、前記積載部材上のシートの上面のうち、前記第１のシート押さえ部材よりも前記排出部材に近い部分を押さえる回動自在な第２のシート押さえ部材と、を有し、
前記第１のシート押さえ部材と前記第２のシート押さえ部材は、前記排出部材の上方に回動中心を有し、排出されるシートにより押し上げられて上方回動し、
前記第１のシート押さえ部材よりも前記第２のシート押さえ部材が先に排出されたシートと当接して上方回動し、前記第１のシート押さえ部材が排出されたシートと当接した際は前記第２のシート押さえ部材とともに上方回動する、
ことを特徴とするシート処理装置。
【請求項２】
前記第２のシート押さえ部材は、シート搬送経路を塞いで停止するホームポジションに配置された状態において、シート搬送方向に直角なシート幅方向で、前記排出部材及び前記第１のシート押さえ部材とオーバーラップする、
ことを特徴とする請求項１に記載のシート処理装置。
【請求項３】
前記第１のシート押さえ部材と前記第２のシート押さえ部材の位置を検知する位置検知手段を備え、
前記第１のシート押さえ部材と前記第２のシート押さえ部材は、前記位置検知手段の出力に基づいて、前記積載部材上のシートの高さを検知する、
ことを特徴とする請求項１又は２に記載のシート処理装置。
【請求項４】
前記第１のシート押さえ部材と前記第２のシート押さえ部材との回動動作を連動させる連動手段を有し、
前記位置検知手段は、前記第２のシート押さえ部材の位置を検知することで、前記連動手段により前記第２のシート押さえ部材と連動する前記第１のシート押さえ部材の位置も検知する、
ことを特徴とする請求項３に記載のシート処理装置。
【請求項５】
前記第１のシート押さえ部材と前記第２のシート押さえ部材は、共通の回動中心を有する、
ことを特徴とする請求項１ないし４のいずれか１項に記載のシート処理装置。
【請求項６】
前記連動手段は、前記第２のシート押さえ部材の回動中心から遠い先端部に、前記第１のシート押さえ部材に対する係合部を有するとともに、前記係合部が常時、前記第１のシート押さえ部材にオーバーラップしている、
ことを特徴とする請求項４又は５に記載のシート処理装置。
【請求項７】
前記第１のシート押さえ部材と前記第２のシート押さえ部材とは前記排出部材から排出されるシートの先端が当接される当接面をそれぞれ有し、
これら当接面は、前記排出部材から排出されたシートの先端が前記第２のシート押さえ部材の当接面に当接して前記第２のシート押さえ部材が所定の角度だけ回動した後、前記第１のシート押さえ部材の当接面に当接する、
ことを特徴とする請求項１ないし６のいずれか１項に記載のシート処理装置。
【請求項８】
前記第２のシート押さえ部材の前記当接面は、前記第２のシート押さえ部材が所定角度回動後、前記第１のシート押さえ部材が追従する前に、前記第１のシート押さえ部材の前記当接面よりシート搬送方向下流側まで回動可能である、
ことを特徴とする請求項７に記載のシート処理装置。
【請求項９】
前記第２のシート押さえ部材は、排出されるシートにより押し上げられて上方回動を開始するのに伴って回動を開始する、
ことを特徴とする請求項１ないし８のいずれか１項に記載のシート処理装置。
【請求項１０】
前記第１のシート押さえ部材が、シート幅方向に沿って複数配設され、
これら複数の前記第１のシート押さえ部材に対して前記第２のシート押さえ部材が係合関係を有する、
ことを特徴とする請求項１ないし９のいずれか１項に記載のシート処理装置。
【請求項１１】
前記排出部材は、ローラ部が櫛歯状に配置されたローラ対によって構成されている、
ことを特徴とする請求項１ないし１０のいずれか１項に記載のシート処理装置。
【請求項１２】
前記第２のシート押さえ部材の前記当接面は、前記第１のシート押さえ部材の当接面よりも、シート幅方向の幅が狭い、
ことを特徴とする請求項７ないし１１のいずれか１項に記載のシート処理装置。
【請求項１３】
前記第２のシート押さえ部材が、前記第１のシート押さえ部材よりも軽量である、
ことを特徴とする請求項１ないし１２のいずれか１項に記載のシート処理装置。
【請求項１４】
前記第１のシート押さえ部材及び前記第２のシート押さえ部材をシート搬送経路から回動させて退避させる駆動手段を有し、
前記第２のシート押さえ部材の回動角度が前記第１のシート押さえ部材の回動角度よりも大きく設定されている、
ことを特徴とする請求項１ないし１３のいずれか１項に記載のシート処理装置。
【請求項１５】
シートに画像を形成する画像形成部と、画像形成されたシートを処理する請求項１ないし１４のいずれか１項に記載のシート処理装置、とを備えたことを特徴とする画像形成装置。
【手続補正２】
【補正対象書類名】明細書
【補正対象項目名】発明の名称
【補正方法】変更
【補正の内容】
【発明の名称】シート処理装置、及び画像形成装置
【手続補正３】
【補正対象書類名】明細書
【補正対象項目名】０００１
【補正方法】変更
【補正の内容】
【０００１】
本発明は、プリンタ，複写機などの画像形成装置で画像形成されたシートを処理するシート処理装置、及び画像形成装置に関する。
【手続補正４】
【補正対象書類名】明細書
【補正対象項目名】００１７
【補正方法】変更
【補正の内容】
【００１７】
本発明は、搬送されてきたシートを排出する排出部材と、前記排出部材によって排出されたシートを積載する積載部材と、前記積載部材に積載されたシートの上面を押さえるシート押さえ手段とを備えたシート処理装置において、前記シート押さえ手段は、前記積載部材上のシートの上面を押さえる回動自在な第１のシート押さえ部材と、前記第１のシート押さえ部材よりも回動半径が小さく、前記積載部材上のシートの上面のうち、前記第１のシート押さえ部材よりも前記排出部材に近い部分を押さえる回動自在な第２のシート押さえ部材と、を有し、前記第１のシート押さえ部材と前記第２のシート押さえ部材は、前記排出部材の上方に回動中心を有し、排出されるシートにより押し上げられて上方回動し、前記第１のシート押さえ部材よりも前記第２のシート押さえ部材が先に排出されたシートと当接して上方回動し、前記第１のシート押さえ部材が排出されたシートと当接した際は前記第２のシート押さえ部材とともに上方回動することを特徴とする。
【手続補正５】
【補正対象書類名】明細書
【補正対象項目名】００３４
【補正方法】変更
【補正の内容】
【００３４】
これにより、第２のシート押さえの初期動作は軽いため、シート端部に傷が入るのを防止する。また、その後に第１のシート押さえの重量が第２のシート押さえに加わっても、イナーシャが分散されるため、最初から連動しているよりは、当接するシート端部に傷が入らない。
【手続補正６】
【補正対象書類名】明細書
【補正対象項目名】００３６
【補正方法】変更
【補正の内容】
【００３６】
これにより、シートで押し上げられた第２のシート押さえが第１のシート押さえを押し上げてしまうのを防止する。第１の満載検知フラグと第２の満載検知フラグの重量をシート先端の別々の箇所で各々受けるため、受け面積が広がり、シート端部にかかる面圧が下がるため、さらに傷がつかなくなる。
【手続補正７】
【補正対象書類名】明細書
【補正対象項目名】００４０
【補正方法】変更
【補正の内容】
【００４０】
これにより、当接面が複数あっても、シート斜走により、実際に１つにしか当接面に当らずにシート先端の面圧が上がってしまうのを防止するために、分割し、１つのシート端部当接面がシート端部に与える負荷の上限を下げることができる。また、分割されても、１つのフォトセンサで検知するように第２のシート押さえ部材とリンクさせている。
【手続補正８】
【補正対象書類名】明細書
【補正対象項目名】００４５
【補正方法】変更
【補正の内容】
【００４５】
これにより、第２のシート押さえ部材は第１のシート押さえ部材と排紙部材との間を埋める関係上、当接面とシートとの当接角が第１のシート押さえ部材よりも同等又はきつくなる。さらに、当接面の幅も細いため、シート端部に係る面圧が高いため、それを下げるようにした。
【手続補正９】
【補正対象書類名】明細書
【補正対象項目名】００６８
【補正方法】変更
【補正の内容】
【００６８】
また、第１の満載検知フラグ１０５、第２の満載検知フラグ１０６は、いずれも同軸（回動中心）１０７を中心に揺動可能に支持されている。そして、シートＳに押される、あるいは排紙上ローラ１００が駆動手段（不図示）によって離間されたとき、これに連動して矢印１０８方向に回転する。また、第２の満載検知フラグ１０６と第１の満載検知フラグ１０５は、図２の右上の拡大図に示すように、第１の満載検知フラグ１０５に対して第２の満載検知フラグ１０６がくぐるように構成されていて、ストッパ部（係合部）１０９でリンクしていて、お互いが、連動して動作する。その動きに関しては、図３を用いて後述する。